(57)【要約】【課題】支持板部材に対するリテイナー部材の装着状態を確保できるとともに、ナット部材を任意の位置に停止保持することができるため、固着作業の操作性に優れたフローティングナットを提供する。【解決手段】  リテイナー部材の本体部分の平面板部にナット部材の筒部が前後左右に移動可能な開口部を形成し、前記本体部分の左右一側の側面板部を裏面方向に延長してその先端部には、前記平面板部と平行状にクリップ板部を形成し、固着対象物の支持板部材の裏面に当接する前記クリップ板部に逆止め舌片部を支持板部材側に斜めに突設し、前記逆止め舌片部の先端を前記支持板部材のボルト挿入孔の内壁面に係合可能に配置し、前記本体部分の前後の側面板部の先端部には、ナット部材の前記基板部の裏面に当接する裏面板部を形成し、リテイナー部材の前記平面板部とナット部材の前記基板部との間にバネ部材を挿入する。【選択図】図５
2011140978.tif 000002
【特許請求の範囲】
【請求項１】
基板部に突設した筒部に雌ねじ部を設けたナット部材と、ナット部材の前記基板部を前後左右に移動可能に可動に収容する本体部分を有するリテイナー部材とからなり、
リテイナー部材の前記本体部分の平面板部にナット部材の前記筒部が前後左右に移動可能な開口部を形成し、前記本体部分の左右一側の側面板部を裏面方向に延長してその先端部に、前記平面板部と平行状にクリップ板部を形成し、前記本体部分の前後の側面板部の先端部には、ナット部材の前記基板部の裏面に当接する裏面板部を形成し、リテイナー部材の前記平面板部とナット部材の前記基板部との間にバネ部材を挿入したフローティングナット。
【請求項２】
前記クリップ板部に逆止め舌片部を支持板部材側に斜めに突設し、当該逆止め舌片部の先端を前記支持板部材のボルト挿入孔の内壁面に係合可能に配置したことを特徴とする請求項１に記載のフローティングナット。
【請求項３】
前記リテイナー部材の前記本体部分の平面板部に形成した前記開口部の縁部を、前記クリップ板部を形成した側である前記本体部分の左右一側の側面板部の中間部まで溝状に切欠いて開放部を形成したことを特徴とする請求項１または請求項２に記載のフローティングナット。
【請求項４】
前記リテイナー部材の前記本体部分の平面板部に形成した前記開口部と前記開放部の幅員を越えるバネ受板を前記ナット部材の前記筒部に嵌め合わせ、前記バネ部材を前記ナット部材の前記基板部と前記バネ受板の間に挿入したことを特徴とする請求項３に記載のフローティングナット。
【発明の詳細な説明】
【技術分野】
【０００１】
本発明は、ナット部材及びリテイナー部材を組み合わせてなるフローティングナットに関するものである。
【背景技術】
【０００２】
ウェルディングナットに比べてナット部材の位置に自由度があり、固着対象物の精密な位置調整に対応可能なことから、フローティングナットがそのような用途に選択使用されている。特許文献１の第５図及び第６図に示された従来のフローティングナットは、ナット部材とリテイナー部材の２部品で構成され、前記ナット部材は、略正方形の基板部中央に筒部を突設し、該筒部の中心線上にボルトねじ込まれる雌ねじ部を貫通して設けたものである。前記リテイナー部材は、ナット部材の前記基板部を前後左右に移動可能に可動に収容する薄箱形状の本体部分と、該本体部分の一対の側面に折り返し形成した腕部分とからなり、前記本体部分の上面板部の中央にはナット部材の前記筒部が前後左右に移動可能に挿入される筒部挿入孔が形成され、前記本体部分の下面開口部は前記一対の腕部分と面一にある折り返し裏板部によって閉鎖されており、前記裏板部の中央にはボルト挿入孔を形成してある。
【０００３】
この形状構造のフローティングナットの使用に当たっては、固着対象物の支持板部材の裏面にリテイナー部材の前記本体部分の裏板部及び前記腕部分を突き当て、固着対象物と前記支持板部材の各ボルト挿入孔に挿入した固着用ボルトを、前記裏板部のボルト挿入孔を通して前記筒部の雌ねじ部にねじ込む。固着対象物を設計通りの位置に来るように前後左右に移動調整した後、前記固着用ボルトが所定強さに締め付けられる。
【０００４】
このフローティングナットでは、前記ナット部材がリテイナー部材の前記本体部分内において移動することによって固着対象物の固着位置が精密に調整されるのであるが、使用操作上において二つの問題点がある。
第一の問題点は、フローティングナットのリテイナー部材を前記支持板部材に突き当てたあと、作業員が指先でリテイナー部材の装着状態を確保しなければ、リテイナー部材が支持板部材から脱離してしまうことである。第二の問題点は、固着用ボルトとナット部材の雌ねじ部との芯合わせをしても、固着用ボルトの締め込みを開始する前にナット部材がリテイナー部材の本体部分内において勝手に移動してしまうことである。これらの問題点のため、固着作業に手間がかかることになった。第一の問題点を解決するように工夫された製品も別に提供されているが、リテイナー部材の定着用孔が四角形孔であるため、現場での修正が困難である。
【先行技術文献】
【特許文献】
【０００５】
【特許文献１】実開平３−５９５１０号公報
【発明の概要】
【発明が解決しようとする課題】
【０００６】
本発明の課題は、支持板部材に対するリテイナー部材の装着状態を確保できるとともに、ナット部材を任意の位置に停止保持することができるため、固着作業の操作性に優れたフローティングナットを提供することである。
【課題を解決するための手段】
【０００７】
請求項１の発明のフローティングナットは、基板部に突設した筒部に雌ねじ部を設けたナット部材と、ナット部材の前記基板部を前後左右に移動可能に可動に収容する本体部分を有するリテイナー部材とからなり、
リテイナー部材の前記本体部分の平面板部にナット部材の前記筒部が前後左右に移動可能な開口部を形成し、前記本体部分の左右一側の側面板部を裏面方向に延長してその先端部に、前記平面板部と平行状にクリップ板部を形成し、前記本体部分の前後の側面板部の先端部には、ナット部材の前記基板部の裏面に当接する裏面板部を形成し、リテイナー部材の前記平面板部とナット部材の前記基板部との間にバネ部材を挿入してある。
【０００８】
請求項２の発明のフローティングナットでは、請求項１の発明の前記構成に加えて、前記クリップ板部に逆止め舌片部を支持板部材側に斜めに突設し、当該逆止め舌片部の先端を前記支持板部材のボルト挿入孔の内壁面に係合可能に配置してある。
【０００９】
請求項３の発明のフローティングナットでは、請求項１または請求項２の発明の前記構成に加えて、前記リテイナー部材の前記本体部分の平面板部に形成した前記開口部の縁部を、前記クリップ板部を形成した側である前記本体部分の左右一側の側面板部の中間部まで溝状に切欠いて開放部を形成してある。
【００１０】
請求項４の発明のフローティングナットでは、請求項３の発明の前記構成に加えて、前記リテイナー部材の前記本体部分の平面板部に形成した前記開口部と前記開放部の幅員を越えるバネ受板を前記ナット部材の前記筒部に嵌め合わせ、前記バネ部材を前記ナット部材の前記基板部と前記バネ受板の間に挿入してある。
【発明の効果】
【００１１】
請求項１の発明のフローティングナットでは、リテイナー部材の前記本体部分の左右一側の側面板部を裏面方向に延長してその先端部に、前記本体部分の平面板部と平行状にクリップ板部を形成し、前記本体部分の裏面板部の裏面に当接する前記クリップ板部に逆止め舌片部を支持板部材側に斜めに突設し、当該逆止め舌片部の先端が前記支持板部材のボルト挿入孔の内壁面に係合可能に配置し、前記本体部分の前後の側面板部の先端部には、ナット部材の前記基板部の裏面に当接する裏面板部を形成してあるため、固着対象物の支持板部材のエッジ部に前記リテイナー部材を装着したとき、前記裏面板部と前記クリップ板部がリテイナー部材の固有の弾性によって前記支持板部材を表裏両側から挟みこむため、前記リテイナー部材は所定の装着位置に安定に確保される。
また、リテイナー部材の前記本体部分の前後の側面板部の先端部には、ナット部材の前記基板部の裏面に当接する裏面板部を形成してあり、リテイナー部材の前記平面板部とナット部材の前記基板部との間にバネ部材を挿入してあるため、バネ部材の弾力によって前記ナット部材は任意の位置に停止保持させることができる。そのため、このフローティングナットの操作性は優れており、固着対象物を支持板部材に固着する作業には能率良く進められる。
【００１２】
請求項２の発明のフローティングナットでは、前記クリップ板部に逆止め舌片部を支持板部材側に斜めに突設し、当該逆止め舌片部の先端を前記支持板部材のボルト挿入孔の内壁面に係合可能に配置してあるため、一旦、前記支持板部材に装着して逆止め舌片部の先端を前記支持板部材のボルト挿入孔の内壁面に係合させたときには、前記リテイナー部材を前記支持板部材から離脱させることは不可能になる。このようにリテイナー部材と前記支持板部材との結合が強固であるため、リテイナー部材の位置ずれなどを懸念することなく、固着作業が能率良く行なえる。
【００１３】
請求項３の発明のフローティングナットでは、リテイナー部材の前記本体部分の平面板部に形成した前記開口部の縁部を、前記クリップ板部を形成した側である前記本体部分の左右一側の側面板部の中間部まで溝状に切欠いて開放部を形成してあるため、前記ナット部材の位置の確認作業、そして必要に応じての前記ナット部材の移動操作を、前記開放部を通して的確に行なうことができる。
【００１４】
請求項４の発明のフローティングナットでは、前記リテイナー部材の前記本体部分の平面板部に形成した前記開口部と前記開放部の幅員を越えるバネ受板を前記ナット部材の前記筒部に嵌め合わせ、前記バネ部材を前記ナット部材の前記基板部と前記バネ受板の間に挿入してあるため、前記バネ部材の弾力が偏りなく、前記本体部分の平面板部とナット部材の前記基板部とに作用し、ナット部材をより安定的に所要の位置に停止保持させることができる。
【図面の簡単な説明】
【００１５】
【図１】図１は本発明の一実施例に係るフローティングナットの平面図である。
【図２】図２は図１のフローティングナットの正面図である。
【図３】図３は図１のフローティングナットの左側面図である。
【図４】図４は図１のフローティングナットの底面図である。
【図５】図５は図１のフローティングナットの使用状態の縦断面図である。
【図６】固着対象物が固着される支持板部材の平面図である。
【図７】図７は図６の支持板部材の縦断面図である。
【実施例】
【００１６】
図示の実施例では、フローティングナット１はナット部材２とリテイナー部材３とからなり、ナット部材２の基板部４の中央部には円筒形の筒部５を突設してあり、筒部５の中心線上には雌ねじ部６を貫通して形成してある。リテイナー部材３の略薄箱状の本体部分７の平面板部８の中央部には、ナット部材２の筒部５よりも径の大きい円形開口部９が形成され、開口部９と筒部５の径の差分だけ、ナット部材２はリテイナー部材３の本体部分７の内部空間で前後左右に移動可能である。
【００１７】
リテイナー部材３の本体部分７の左側の側面板部１０は、裏面方向に支持板部材１１のほぼ板厚相当分だけ延長され、当該延長部分の先端部には、平面板部８と平行状にクリップ板部１２が本体部分７の平面板部８の長さ相当分だけ形成されている。本体部分７の右側の側面板部１３の先端部には、外向きに開いた傾斜曲げ板部１４が形成されている。この傾斜曲げ板部１４は、リテイナー部材３を支持板部材１１のエッジ部に端面方向から嵌め合わせ装着する際に、有効なガイド手段となる。また、リテイナー部材３を支持板部材１１に装着した後には、傾斜曲げ板部１４の稜線部１５は、支持板部材１１の上面と圧接し、リテイナー部材３の保持手段となる。
【００１８】
リテイナー部材３の本体部分７の前後の側面板部１６，１７の先端部には、ナット部材２の基板部４の裏面に当接する裏面板部１７，１８を本体部分７の平面板部８と平行状に形成してある。リテイナー部材３のクリップ板部１２には、左右方向に長い逆止め舌片部１９が形成されている。逆止め舌片部１９は、右側から左側に向かうほど母材のクリップ板部１２から離れるように傾斜して形成されている。図示の実施例では、逆止め舌片部１９の中に小舌片部２０がさらに形成されている。リテイナー部材３が支持板部材１１のエッジ部に嵌め合わせ装着されるとき、逆止め舌片部１９と小舌片部２０は支持板部材１１の裏面に押されてクリップ板部１２に向かって対没し、リテイナー部材３が正規位置まで嵌められたとき、逆止め舌片部１９と小舌片部２０は弾性復元する。
小舌片部２０の先端部が支持板部材１１のボルト挿入孔２１の内壁面に係合する一方、逆止め舌片部１９の先端部がボルト挿入孔２１の裏面側縁部２２に係合することによって、リテイナー部材３は、支持板部材１１から抜けるのを的確に阻止される。
【００１９】
リテイナー部材３の本体部分７の開口部９の縁部は溝状に切欠き開放され、この開放部２３は本体部分７の左側の側面板部１０の中間部まで到達している。ナット部材２の筒部５には、開口部９と開放部２３の幅員を越えるバネ受板２４を嵌め合わせてある。板バネよりなるバネ部材２５は、バネ受板２４とナット部材２の基板部４との間に撓められ、バネ受板２４をリテイナー部材３の本体部分７の平面板部８に圧接させ、ナット部材２の基板部４をリテイナー部材３の本体部分７の裏面板部１７，１８に圧接させる。
バネ受板２４は、リテイナー部材３の本体部分７の左側の側面板部１０、右側の側面板部１３、前側の側面板部１６、後側の側面板部１６に当接することによって、ナット部材２の前後左右に移動限界を定めている。
【００２０】
裏面板部１７，１８にはボルト挿通部２６が形成され、固着対象物２７にはボルト挿入孔２８が形成され、クリップ板部１２の小舌片部２０には、ボルト挿入孔２９が形成されている。リテイナー部材３はプレス加工によって成形されている。本例では、固着用ボルト３０は、支持板部材１１の裏面側からねじ込まれている。これは上下反対でもよく、方向性は問わない。また、クリップ板部１２の逆止め舌片部１９などの弾性変形によって支持板部材の一定範囲内の板厚変更にも対応することができる。
【符号の説明】
【００２１】
１  フローティングナット
２  ナット部材
３  リテイナー部材
４  ナット部材の基板部
５  ナット部材の筒部
６  筒部の雌ねじ部
７  リテイナー部材の本体部分
８  本体部分の平面板部
９  平面板部の開口部
１０  本体部分の左側の側面板部
１１  固着対象物の支持板部材
１２  リテイナー部材のクリップ板部
１３  本体部分の右側の側面板部
１４  本体部分の傾斜曲げ板部
１５  傾斜曲げ板部の稜線部
１６  本体部分の前側の側面板部
１７  本体部分の後側の側面板部
１８  本体部分の裏面板部
１９  クリップ板部の逆止め舌片部
２０  クリップ板部の小舌片部
２１  支持板部材のボルト挿入孔
２２  支持板部材のボルト挿入孔の裏面側縁部
２３  リテイナー部材の本体部分の開放部
２４  バネ受板
２５  バネ部材
２６  本体部分の裏面板部のボルト挿通部
２７  固着対象物
２８  固着対象物のボルト挿入孔
２９  クリップ板部のボルト挿入孔
３０  固着用ボルト
【図１】
2011140978.tif 000003
【図２】
2011140978.tif 000004
【図３】
2011140978.tif 000005
【図４】
2011140978.tif 000006
【図５】
2011140978.tif 000007
【図６】
2011140978.tif 000008
【図７】
2011140978.tif 000009